【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
（ａ）乳化重合により調製された水性ポリマー；
（ｂ）Ｔ０（膨張開始）およびＴｍ（最大膨張）を有する複数の膨張可能なミクロスフェア；および
（ｃ）任意に、添加剤
を含み、
前記ポリマーが、膨張可能なミクロスフェアのＴ０およびＴｍの中間点：（Ｔｍ＋Ｔ０）／２で、０．３ＭＰａ未満の弾性率を有し、ｔａｎδが０．３５より大きいことを特徴とする、コーティング組成物。
【請求項２】
前記ポリマーが、０．２ＭＰａ未満の弾性率を有し、ｔａｎδが０．４より大きいことを特徴とする、請求項１に記載のコーティング。
【請求項３】
前記水性ポリマーが、ｌｏｇ（弾性率）対温度である絶対勾配が０．０１４より大きいことを特徴とする、請求項１に記載のコーティング。
【請求項４】
前記水性ポリマーが、酢酸ビニルエチレン分散物、ポリ酢酸ビニル、ポリ酢酸ビニルポリビニルアルコール、デキストリン安定化ポリ酢酸ビニル、ポリ酢酸ビニル共重合体、酢酸ビニルエチレン共重合体、ビニルアクリル樹脂、スチレンアクリル樹脂、アクリル樹脂、スチレンブチルゴム、ポリウレタン、およびこれらの混合物からなる群から選択されることを特徴とする、請求項１に記載のコーティング。
【請求項５】
前記膨張可能なミクロスフェアが、ポリマーシェルおよび炭化水素コアを有することを特徴とする、請求項１に記載のコーティング。
【請求項６】
前記膨張可能なミクロスフェアが、８０℃未満のＴ０を有することを特徴とする、請求項１に記載のコーティング。
【請求項７】
前記膨張可能なミクロスフェアが、１５０℃を超えるＴｍを有することを特徴とする、請求項１に記載のコーティング。
【請求項８】
（ａ）（ｉ）乳化重合により調製された水性ポリマーと、（ｉｉ）Ｔ０およびＴｍを有する複数の膨張可能なミクロスフェアとを含み、前記ポリマーが、膨張可能なミクロスフェアのＴ０およびＴｍの中間点：（Ｔｍ＋Ｔ０）／２で、０．３ＭＰａ未満の弾性率を有し、ｔａｎδが０．３５より大きいコーティング組成物を調製する工程、
（ｂ）紙、板紙、木材、箔、プラスチック、またはプラスチックフィルムである基材上に前記コーティングを塗布する工程、
（ｃ）前記コーティングを乾燥させて、水を実質的に除去する工程であって、乾燥温度がＴ０未満である工程、および、
（ｄ）Ｔ０以上の温度で、前記組成物を膨張させる工程
を含む、物品を形成する方法。
【請求項９】
（ａ）（ｉ）乳化重合により調製された水性ポリマーと、（ｉｉ）Ｔ０およびＴｍを有する複数の膨張可能なミクロスフェアとを含み、前記ポリマーが、膨張可能なミクロスフェアのＴ０およびＴｍの中間点：（Ｔｍ＋Ｔ０）／２で、０．３ＭＰａ未満の弾性率を有し、ｔａｎδが０．３５より大きいコーティング組成物を調製する工程、
（ｂ）紙、板紙、木材、箔、プラスチック、またはプラスチックフィルムである基材上に前記コーティングを塗布する工程、
（ｂ１）任意に、前記コーティングを乾燥させて、水を実質的に除去する工程であって、乾燥温度がＴ０未満である工程、
（ｃ）前記第１の基材の異なる部分上に接着剤組成物を塗布する工程、
（ｄ）任意に、前記コーティングを乾燥させて、水を実質的に除去する工程であって、乾燥温度がＴ０未満である工程、および、
（ｅ）Ｔ０以上の温度で、前記組成物を膨張させる工程
を含む、物品を形成する方法。
【請求項１０】
基材と、請求項１に記載の接着剤を含む組成物とを含む物品。
【手続補正２】
【補正対象書類名】明細書
【補正対象項目名】０００６
【補正方法】変更
【補正の内容】
【０００６】
一実施形態では、乳化重合により調製された水性ポリマー；Ｔ０（膨張開始）およびＴｍ（最大膨張）を有する複数の膨張可能なミクロスフェア；および任意に添加剤を含むコーティング組成物が提供される。水性ポリマーは、膨張可能なミクロスフェアのＴ０およびＴｍの中間点：（Ｔｍ＋Ｔ０）／２で、０．３ＭＰａ未満の弾性率と、０．３５より大きいｔａｎδを有する。
【手続補正３】
【補正対象書類名】明細書
【補正対象項目名】０００７
【補正方法】変更
【補正の内容】
【０００７】
別の実施形態は、（１）乳化重合により調製された水性ポリマーと、Ｔ０およびＴｍを有する複数の膨張可能なミクロスフェアとを含む組成物を調製する工程、（２）紙、板紙、木材、または箔である基材上に前記コーティング組成物を塗布する工程、（３）前記コーティング組成物を乾燥させて、水を実質的に除去する工程、および、（４）前記組成物を膨張させる工程を含む、保護包装品を形成する方法を提供する。水性ポリマーは、０．３ＭＰａ未満の弾性率を有し、膨張可能なミクロスフェアのＴ０およびＴｍの中間点：（Ｔｍ＋Ｔ０）／２でのｔａｎδは０．３５より大きい。乾燥温度はＴ０未満であり、膨張温度はＴ０以上である。
【手続補正４】
【補正対象書類名】明細書
【補正対象項目名】０００８
【補正方法】変更
【補正の内容】
【０００８】
さらに別の実施形態は、基材と、乳化重合により調製された水性ポリマー；Ｔ０およびＴｍを有する複数の膨張可能なミクロスフェア；および任意に添加剤を含むコーティング組成物とを含む保護包装品を対象とする。水性ポリマーは、膨張可能なミクロスフェアのＴ０およびＴｍの中間点：（Ｔｍ＋Ｔ０）／２で、０．３ＭＰａ未満の弾性率と、０．３５より大きいｔａｎδを有する。基材は、紙、板紙、木材、金属紙、金属板紙または箔である。いくつかの実施形態では、基材は、再生または再生可能プラスチックまたはプラスチックフィルムであってもよい。
【手続補正５】
【補正対象書類名】明細書
【補正対象項目名】００１１
【補正方法】変更
【補正の内容】
【００１１】
コーティング組成物は、任意の数の材料から作製することができる。好ましくは、コーティング組成物は、乳化重合により調製された水性ポリマー；Ｔ０およびＴｍを有する複数の膨張可能なミクロスフェア；および任意にワックス分散添加剤を含む。水性ポリマーは、膨張可能なミクロスフェアのＴ０およびＴｍの中間点：（Ｔｍ＋Ｔ０）／２で０．３ＭＰａ未満の弾性率を有し、０．３５より大きい（Ｔｍ＋Ｔ０）／２でのｔａｎδを有する。コーティング組成物は、さらに、１種以上の防腐剤、粘着付与剤、可塑剤、湿潤剤または充填剤を含むことができる。所望に応じて、コーティング組成物、およびコーティング組成物の膨張特性に悪影響を及ぼさない他の材料を使用することができる。
【手続補正６】
【補正対象書類名】明細書
【補正対象項目名】００１４
【補正方法】変更
【補正の内容】
【００１４】
一実施形態では、水性ポリマーは、膨張可能なミクロスフェアのＴ０およびＴｍの中間点：（Ｔｍ＋Ｔ０）／２で、０．３ＭＰａ未満の弾性率を有する。特に明記しない限り、全ての報告された弾性率測定は、ＡＳＴＭ  Ｄ５０２６に従って行った。別の実施形態では、水性ポリマーは、膨張可能なミクロスフェアのＴ０およびＴｍの中間点：（Ｔｍ＋Ｔ０）／２で、０．３５より大きいｔａｎδを有する。
【手続補正７】
【補正対象書類名】明細書
【補正対象項目名】００４０
【補正方法】変更
【補正の内容】
【００４０】
実施例１  −水性ポリマーバインダー
以下の、膨張可能なミクロスフェア、ＤＵＡＬＩＴＥ（登録商標）Ｕ０２０−１３０Ｄミクロスフェアの、膨張可能なミクロスフェアのＴ０およびＴｍの中間点：（Ｔｍ＋Ｔ０）／２で測定された弾性率およびｔａｎδ値を有する水性ポリマーを表１に示す。
【手続補正８】
【補正対象書類名】明細書
【補正対象項目名】００４１
【補正方法】変更
【補正の内容】
【００４１】
【表１】
2017524776.tif 000001
【手続補正９】
【補正対象書類名】明細書
【補正対象項目名】００４６
【補正方法】変更
【補正の内容】
【００４６】
表３に示すように、サンプル１、サンプル２、およびサンプル３は、全ての温度において、比較サンプルよりも高い膨張率を有していた。したがって、膨張可能なミクロスフェアのＴ０およびＴｍの中間点：（Ｔｍ＋Ｔ０）／２で０．３ＭＰａ未満の弾性率および０．３５より大きいｔａｎδを有するバインダーを用いて形成されたコーティングは、試験された各温度において、ミクロスフェアがより膨張することを可能にした。